(57)【要約】      （修正有）【課題】半自動でパウダーの吐出および遮断を自由に調節可能な化粧用ブラシの吐出構造を提供する。【解決手段】内側胴体10を押すことによって円錐形弾性部25が圧縮されるとともに内側孔26が開放されてパウダーをブラシ側に吐出させる一方、上記円錐形弾性部25の膨脹力と垂直棒17の下端周囲部に嵌込み形成されたスプリング16の弾発力によって内側胴体10が下降して復帰させて、垂直棒17の周囲部に形成された密閉突環15によって内側孔26が閉鎖されてパウダーが吐出されない様に構成する。【選択図】図３
2007125369.tif 000002
【特許請求の範囲】
【請求項１】
下部に貫通孔(14)が形成された支持部の上部にスプリング(16)が介在された密閉突環(15)が形成され、上端部に嵌込み溝(18)が形成された垂直棒(17)が装着された内側胴体(10)と、
上記内側胴体(10)の上部に結合部材(24)によってねじ結合され、上記結合部材(24)の上部に円錐形弾性部(25)として連結構成され、中央部に形成された内側孔(26)に上記垂直棒(17)が嵌込み結合される外側上部胴体(20)と、
内側にパウダー移送管(32)を備え、上端部にブラシ(33)が挟まれて、外側にブラシカバー(34)が形成されて外側上部胴体(20)の内側に結合される内側上部胴体(30)とを有し、
上記外側上部胴体(20)の下部周囲部には外側下部胴体(40)が嵌込み結合されるとともに、上部に蓋(50)が結合されるように構成した特徴とする化粧用ブラシの吐出構造。
【請求項２】
上記外側上部胴体(20)の内側中央部に内側孔(26)が形成された内側溝が形成され、上記内側孔(26)を貫通して周囲部に密閉短顎輪(15a)が形成された垂直棒(17)が嵌込み結合された事を特徴とする請求項１に記載の化粧用ブラシの吐出構造。
【請求項３】
液状の染め薬が収容される収容部を持つ内側胴体(10)と、上記内側胴体(10)の上部に密閉短顎輪(15a)を持つ垂直棒(17)を備えた支持部が安定装着されて上記垂直棒(17)が中間部材(22)の中央部に形成された内側孔(26)に嵌込み結合され、上部にヘアブラシ(33a)と櫛刃(33b)が備えられた外側胴体(20)に結合構成された事を特徴とする請求項１に記載の化粧用ブラシの吐出構造。
【請求項４】
内側胴体(10)の上部に中間部材(22)及びブラシ(33)が備えられ密閉短顎輪(15a)を持つ垂直棒(17)が嵌込み結合されて上部嵌込み部が形成された外側胴体(20)で結合構成された事を特徴とする 請求項１に記載の化粧用ブラシの吐出構造。
【発明の詳細な説明】
【技術分野】
【０００１】
本発明は内側胴体をブラシ側に押してやることによって、上記内側胴体の上部にねじ結合された結合部材を構成している円錐形弾性部が圧縮されると同時に、上記内側胴体の中央部に垂直立設された垂直棒が移動されて、、内側孔が開放されながら上記垂直棒の下部に形成された貫通孔及び内側孔とパウダー移送管を通じてブラシ側に一定量のパウダーが吐出されるようにした化粧用ブラシの吐出構造に関するもので、内側胴体を押してやる事によって円錐形弾性部が圧縮されながら内側孔が開放されてパウダーをブラシ側に吐出させると同時に上記円錐形弾性部の膨脹力と垂直棒の下端周囲部に嵌込み形成されたスプリングの弾発力によって内側胴体が下降して復帰することで、垂直棒(17)の周囲部に形成された密閉突環(15)によって内側孔(26)が閉鎖されてパウダーが吐出されない様にして上記結合部材(24)に形成された円錐形弾性部(25)とスプリング(16)によって半自動でパウダーの吐出及び遮断を自由に調節するのが出来る様にしたもので、内側胴体と 結合部材の組立解体が容易で内側胴体に収容されたパウダーの消尽時に内側胴体を分離して 開いてパウダーを補充して再充填使用が可能な様にしたものである。
【背景技術】
【０００２】
一般的に化粧品は固体状態或いは液体と適切に混合された液体状態の化粧品に分けられ、近来 使用者の便宜のためにリップスティック或いはファウンデーションの様な化粧品が液状で供給されているが、およそ鉛筆の形状になった容器内に液状の化粧品を充填させて使用時に容器の一部分を回転させれば容器内の化粧品が上部化粧ブラシ設置部分に吐出されて化粧をする事が出来る様にした構造が各種に提案され、使用されている。
【０００３】
従来、多く使用されてきた化粧用ブラシは胴体内にブラシを一体形に製作し、化粧時にブラシに別途のパウダーを付けて使用したもので、パウダーとブラシが各々別に備えられており携帯及び保管が不便で使用が容易ではなかった。
【０００４】
一方、近来には容器形状になった胴体の内部にパウダーを収納して、胴体内に収納されたパウダーを空気圧によってブラシ側に吐出させて化粧をする事が出来る様にした構造の化粧用ブラシが各種提案され使用されているが、これは国内実用新案登録第０２５３６７２号で開示された所で図１１及び図１２に表した様な構成になっている。
【０００５】
下端部が開放された管の形態になって内部に化粧用パウダー(103)が収納される第１胴体(102)と、上記第１胴体(102)の下側外周面に結合されて上面中央部に吐出孔(107)が形成されており、先端には上記吐出孔(107)と連結されるブラシ(108)が備えられている第２胴体(106)と、先端部外周面にスプリング(110)が結合されて先端部が上記第２胴体(106)の上記吐出孔(107)に結合されて上記スプリング(110)が上記吐出孔(107)の上端外周に支持されて備えられる、上下移送軸(109)と、上記第１胴体(102)の上端に結合されて上記上下移送軸(109)の上端部を上側外部に突出させながら支持する上部キヤップ(113)で成ったのを特徴とするものである。
【０００６】
上記の様な構成に依れば、上記化粧用ブラシ(100)を利用して化粧をしようとする際、上記上下移送軸(109)の上端に結合されて上側に突出されたボタン(112)を使用者が押えながら使用する様になるがこの時、上記上下移送軸(109)の先端に備えられているスプリング(110)によって上方向に移送軸(109)が運動をするようになり、上記移送軸(109)が上下に運動をするに従い上記胴体(102)の内部に収納されている化粧用パウダー(103)を移送軸(109)の先端部が第２胴体(106)に形成されている吐出孔(107)を通じて外部、即ち、ブラシ(108)に供給させて簡便に使用することが出来る。
【０００７】
この時、上記吐出孔(107)を通じて上記ブラシ(108)に排出される化粧用パウダー(103)は上記上下移送軸(109)の先端部が直接的に吐出孔(107)を貫通しながらパウダー(103)をブラシ(108)側に供給されるようにしている。
【特許文献１】韓国実用新案登録第０２５３６７２号
【発明の開示】
【発明が解決しようとする課題】
【０００８】
しかし、上記と様な従来の化粧用ブラシは上下移送軸(109)の先端部によりパウダー(103)がブラシ(108)に吐出されるが、これは上下移送軸(109)の構造上パウダー(103)を一定に吐出させる事が出来ないばかりでなく化粧用ブラシ(100)自体の振動によってもパウダー(103)がブラシ(108)側に吐出されることがあるため使用に不便があった。また、上部キヤップ(113)側に形成されたボタン(112)はスプリング(110)の弾発力によって常に外側に突出された構造になっているもので携帯保管中ほかの携帯物品等と当接したり、或いは外力が加えられた場合に、ボタン(112)が不測に動いて不必要にパウダー(103)がブラシ(108)に吐出されてほかの携帯物品を汚損させるなどの欠点があつた。また、湿気のある場所に携帯保管するとか長時間使用をしない場合には、第１胴体(102)の内部に収納されたパウダー(103)及び吐出孔(107)内に残存しているパウダー(103)が水分によって固くなってパウダー(103)の円滑な吐出が難しかったのである。
【０００９】
本発明は上記の様な従来の欠点を解決しようとするもので、内側胴体をブラシ側に押すことに従い上記内側胴体を押して円錐形弾性部が圧縮されながら内側孔が開放され、パウダーをブラシ側に吐出させると同時に、上記円錐形弾性部の膨脹力と垂直棒の下端周囲部に嵌込み形成されたスプリングの弾発力によって内側胴体が下降して復帰することで、垂直棒の周囲部に形成された密閉突環によって内側孔が閉鎖されてパウダーが吐出されない様にして、上記結合部材に形成された円錐形弾性部とスプリングによって半自動でパウダーの吐出及び遮断を自由に調節するのが出来る様にしたもので、内側胴体と結合部材の組立解体が容易で内側胴体に収容されたパウダーの消尽時に内側胴体を分離して開いてパウダーを補充して再充填使用が可能な様にした化粧用ブラシの吐出構造を提供しようとするのである。
【課題を解決するための手段】
【００１０】
図１は本発明の蓋を開いて見せた斜視図、図２は本発明の分離斜視図、図３は本発明の結合断面図、 図４は本発明の内側胴体を押し上げた状態の断面図を表したもので、下部に貫通孔(14)が形成された支持部(13)の上部にスプリング(16)が介在された密閉突環(15)が形成され、上端部に嵌込み溝(18)が形成された垂直棒(17)が安定配置された内側胴体(10)と、上記内側胴体(10)の上部に結合部材(24)によってねじ結合され、上記結合部材(24)の上部に円錐形弾性部(25)で連結構成され、中央部に形成された内側孔(26)に上記垂直棒(17)が嵌込み結合される外側上部胴体(20)と、内側にパウダー移送管(32)を備えて上端部にブラシ(33)が挟まれ、外側にブラシカバー(34)が形成されて外側上部胴体(20)の内側に結合される内側上部胴体(30)と、上記外側上部胴体(20)の下部周囲部には外側下部胴体(40)が嵌込み結合されて、上部には蓋(50)が結合構成されている。
【００１１】
上記の様に構成された化粧用ブラシ(１)の吐出構造は内側胴体(10)を押してやる事によって円錐形弾性部(25)が圧縮されながら内側孔(26)が開放されてパウダーをブラシ(33)側に吐出させると同時に上記円錐形弾性部(25)の膨脹力と垂直棒(17)の下端周囲部に嵌込み形成されたスプリング(16)の弾発力によって内側胴体(10)が下降して復帰する事で、垂直棒(17)の周囲部に形成された密閉突環(15)によって内側孔(26)が閉鎖されてパウダーが吐出されない様にして上記結合部材(24)に形成された上記円錐形弾性部(25)とスプリング(16)により半自動でパウダーの吐出及び遮断を自由に調節する事が出来る様にしたものである。
【発明の効果】
【００１２】
以上の様に本発明は内側胴体をブラシ側に押すことによって円錐形弾性部が圧縮されると同時に、内側孔が開放されてパウダーか液状の化粧品をブラシ側に吐出させ、上記円錐形弾性部の膨脹力と垂直棒の周囲部に嵌込み形成されたスプリングの弾発力によって内側胴体が下降して復帰するようにしてあるので、垂直棒の周囲部に形成された密閉突環か密閉短顎輪により内側孔が閉鎖されてパウダーが吐出されることがない。上記円錐形弾性部とスプリングによって半自動でパウダーの吐出及び遮断を自由に調節するのが出来る様にしてあるので、内側胴体と 結合部材の組立解体が容易で内側胴体に収容されたパウダーの消尽時に内側胴体を分離して開いてパウダーを補充して再充填使用が可能な様にしたものである
【発明を実施するための最良の形態】
【００１３】
以下、添付された図面を参考にしてもう少し詳しく説明すれば次の様である。
本発明は図１ないし図４に表した様に、内側胴体(10)の内側にはパウダーを収容する収容部(11)が形成され、上部外側周囲部には外側ねじ部(12)が形成される。
【００１４】
この様に形成された内側胴体(10)の上部に外側ねじ部(12)が形成され、この外側ねじ部(12)にねじ結合されている結合部材(24)を介して外側上部胴体(20)が結合固定されている。この外側上部上部胴体(20)は、その中央部に内側孔(26)を有すると共にその下部に円錐形弾性部(25)が形成されている。
【００１５】
上記の様にねじ結合される内側胴体(10)の上端部と結合部材(24)の間には、貫通孔(14)が形成された支持部(13)が安定的に装着されており、垂直に形成された垂直棒(17)が上記内側孔(26)を貫通して嵌め込み結合される。
【００１６】
上記の垂直棒(17)の下部周囲部にはスプリング(16)が介在してあり、垂直棒(17)に突設された密閉突環(15)は、図３に示した様に、上記の内側孔(26)の内側に位置して該内側孔(26)を密閉をするようになり、上記スプリング(16)は内側孔(26)の下端部に支持されて常に弾発しながら内側胴体(10)を押している様になる。
【００１７】
一方、上記の外側上部胴体(20)の内側には内側上部胴体(30)が嵌込み結合されており、上記内側上部胴体(30)は内側にパウダーが移送されるパウダー移送管(32)が備えられている。このパウダー移送管(32)の上端部にブラシ(33)が挟持してあり、外側にスライド移動しながら上記ブラシ(33)を集めてくれるブラシカバー(34)が結合される。
【００１８】
また、上記外側上部胴体(20)の下端周囲部に外側下部胴体(40)が嵌込み結合してあり、上記外側下部胴体(20)の内側には内側胴体(10)が内設されて位置するようになる。
【００１９】
さらにまた、上記外側上部胴体(20)の上端周囲部には蓋(50)が嵌込み結合されることで、本発明の化粧用ブラシ(1)が構成されるのである。
【００２０】
以上の様に構成された本発明に依る作用效果を説明すれば次の様である。
図３に示したように、本発明の化粧用ブラシ(１)は平常時には内側胴体(10)の下端部に力を加えない状態で、外側上部胴体(20)の下部に形成された結合部材(24)が嵌込み結合された内側胴体(10)が下降されており、上部に蓋(50)が結合されて閉じられた状態をしている。
【００２１】
この様に内側胴体(10)の上端部と結合部材(24)の間には垂直棒(17)の下端部に貫通孔(14)が形成された支持部(13)が安定装着されて結合された状態であり、上記垂直棒(17)は上記外側上部胴体(20)の中央内側に形成された内側孔(26)を貫通して内側上部胴体(30)の内部に形成されたパウダー移送管(32)の内部に位置している。
【００２２】
この時、上記の垂直棒(17)の下部に形成されている密閉突環(15)は上記内側孔(26)と一致した状態にあり、上記密閉突環(15)が上記内側孔(26)を閉鎖している状態である。
また、上記垂直棒(17の)上端に形成された嵌込み溝(18)には補助ブラシ(19)が嵌め込まれていて、吐出されたパウダーがブラシ(33)の内部に一様に分散されるように助けてくれる。
【００２３】
上述の様に垂直棒(17)の密閉突環(15)によって内側孔(26)が密閉された状態で内側胴体(10)の下端部を押えるようになると結合部材(24)の下部に形成された円錐形弾性部(25)が圧縮されながら内側胴体(10)は外側下部胴体(40)の内部に上昇移動する様になる。従って、上記の様に内側胴体(10)が上昇するに従い図４に示す様に垂直棒(17)の下部周囲部に形成されて内側孔(26)を閉鎖していた密閉突環(15)が上記内側孔(26)より離脱されて内側孔(26)が開放され、上記垂直棒(17)の下部に介在されたスプリング(16)は圧縮された状態になる。
【００２４】
この様に内側孔(26)が開放された状態で本発明の化粧用ブラシ(1)を逆さまに握って化粧をする事で、内側胴体(10)の収容部(11)に収容されたパウダーが貫通孔(14)及び内側孔(26)とパウダー移送管(32)を通じてブラシ(33)側に吐出されて化粧をする事が出来る様になる。
【００２５】
従って、上記の様に化粧が終った後に内側胴体(10)を押えていた力を解除させてやれば結合部材(24)の上部に形成された円錐形弾性部(25)が膨脹されながら内側胴体(10)が下降するに従い中央部に立設された垂直棒(17)の密閉突環(15)も一緒に下降しながら内側孔(26)を閉鎖するようになってパウダーがブラシ(33)側に吐出されるのを防いでくれるようになり、未使用時にパウダーが漏れ出るのを防止する。
【００２６】
一方、上記垂直棒(17)の下部に介在されたスプリング(16)は常に弾発する性質によって円錐形弾性部(25)が膨脹されながら内側胴体(10)が下降される事を助けてくれて内側胴体(10)が元の状態に容易に復帰される様に助けてくれる。
【００２７】
従って、上記の様に構成結合された本発明は内側胴体(10)の押さえと解除に依って結合部材(24)に形成された円錐形弾性部(25)が膨脹及び圧縮しながら内側胴体(10)の上端部に嵌込み  安着された垂直棒(17)の密閉突環(15)が内側孔(26)を開閉されるようにしたもので、化粧をするために内側胴体(10)を押えれば内側孔(26)が開放されるようにしてパウダーの吐出を容易にし、内側胴体(10)に加えられた力を解除すれば内側孔(26)が自ずから閉鎖される様にする。
【００２８】
また、上記の内側胴体(10)と結合部材(24)はねじ結合されて構成されたもので、組立解体が容易であり、内側胴体(10)に収容されたパウダーの消尽時に内側胴体(10)を分離して開いてパウダーを補充して再充填使用が可能なものである。
【００２９】
図示した図面では便宜上ブラシ(33)部分が上部に向かった状態で説明しているが、実際使用時にはブラシ(33)部分が下部に向かう様にして使用するのである。
【００３０】
図５は本発明に係る第１実施例の断面図、図６は本発明に係る第１実施例の内側胴体を押し上げた状態の断面図を表したもので、結合部材(24)の上部に円錐形弾性部(25)として連結構成されて、中央部に内側孔(26)が形成された外側上部胴体(20)の上部にブラシ(33)が嵌込み形成してあり、下部外側に外側胴体(41)が結合されて、上記結合部材(24)の下部に内側胴体(10)が結合構成された化粧用ブラシに於いて、上記外側上部胴体(20)の内側中央部に内側孔(26)が形成された内側溝(27)が形成され、 上記内側孔(26)を貫通して周囲部に密閉短顎輪(15a)が形成された垂直棒(17)が嵌込み結合された化粧用ブラシ(1a)の吐出構造を持つことを特徴とするのである。
【００３１】
上記の様に構成された第１実施例の化粧用ブラシ(1a)は内側胴体(10)を上部に押してやる事によって図６に示した様に、内側孔(26)の上部を密閉している垂直棒(17)の周囲部に形成された密閉短顎輪(15a)が離脱されながら内側孔(26)が開放され、内側溝(27)に支持されたスプリング(16)は圧縮された状態になるのである。
【００３２】
この様に密閉短顎輪(15a)の離脱によって開放された内側孔(26)を通じて内側胴体(10)の収容部(11)に収容されたパウダーが貫通孔(14)を通って上記内側孔(26)を通じてパウダー移送管(32)に移送されてブラシ(33)側に吐出される構造をしているのである。
【００３３】
上記の様に内側胴体(10)の上部に位置した円錐形弾性部(25)とスプリング(16)の圧縮、膨脹によって内側胴体(10)の内部に圧力を加えてパウダーをブラシ(33)側に吐出させると同時に内側胴体(10)の昇下降によって垂直棒(17)の周囲部に形成された密閉短顎輪(15a)が内側孔(26)を開閉してパウダーの吐出及び遮断を自由に調節する事が出来る様にしたものである。
【００３４】
また、上記内側胴体(10)は結合部材(24)とねじ結合されて構成されたもので、組立、解体が容易で内側胴体(10)に収容されたパウダーの消尽時にパウダーを補充して再充填使用が可能なものである。
【００３５】
図７は本発明に係る第２実施例の断面図、図８は本発明に係る第２実施例の内側胴体を押し上げた状態の断面図を表したもので、液状の染め薬が収容される収容部(11)を持つ内側胴体(10)と、上記内側胴体(10)の上部に密閉短顎輪(15a)を持つ垂直棒(17)を備えた支持部(13)が安定結合されて上記垂直棒(17)が中間部材(22)の中央部に形成された内側孔(26)に嵌込み結合され、上部にヘアブラシ(33a)と櫛刃(33b)が備えられた外側胴体(41)で結合構成されたものである。
【００３６】
上記の様に構成された化粧用ブラシ(1b)の吐出構造は液状状態の化粧品を収容して使用するもので、内側胴体(10)を上部に押してやるに従い図８に示したように、内側孔(26)の上部を密閉している垂直棒(17)の上端部に形成された密閉短顎輪(15a)が離脱されながら内側孔(26)が開放され、スプリング(16)は圧縮された状態になる。
【００３７】
この様に密閉短顎輪(15a)の離脱によって開放された内側孔(26)を通じて内側胴体(10)の収容部(11)に収容された液状状態の化粧品(例えば 染め薬)が貫通孔(14)を通って上記内側孔(26)を通じてヘアブラシ(33a)側に吐出される構造にしているもので、上記ヘアブラシ(33a)と櫛刃(33b)を利用して髪を染める事が出来るのである。
【００３８】
図９は本発明に係る第３実施例の断面図、図１０は本発明に係る第３実施例の内側胴体を押し上げた状態の断面図を示したもので、内側胴体(10)の上部に中間部材(22)及びブラシ(33)が備えられ密閉短顎輪(15a)を持つ垂直棒(17)が嵌込み結合されて上部嵌込み部(42)が形成された外側胴体(41)に結合構成されて蓋(50)が嵌込み結合された化粧用ブラシの吐出構造を持つのを特徴としている。
【００３９】
上記の様に構成された化粧用ブラシ(1c)の吐出構造もまた、上記の第２実施例で説明したのと同様に、液状状態の化粧品を収容して使用するもので、内側胴体(10)を上部に押し上げてやることによって図１０に表した様に、内側孔(26)の上部を密閉している垂直棒(17)の上端部に形成された密閉短顎輪(15a)が離脱しながら内側孔(26)が開放され、開放された内側孔(26)を通じて内側胴体(10)の収容部(11)に収容された液状状態の化粧品(例えば、アイライン用かネイルカラー用液状化粧品)が貫通孔(14)を通って上記内側孔(26)を通じてブラシ(33)側に吐出される構造をしているのである。
【００４０】
従って、上記の第１、２、３実施例の化粧用ブラシ(1a)(1b)(1c)は上記の本発明の化粧用ブラシ(１)と同一な作用效果を表すもので具体的な説明は省略する。
【図面の簡単な説明】
【００４１】
【図１】蓋を開いて見せた状態の斜視図である。
【図２】本発明構造を示す分解斜視図である。
【図３】本発明構造の組み立て状態での縦断面図である。
【図４】本発明構造の作動状態での縦断面図である。
【図５】本発明に係る第１実施例の縦断面図である。
【図６】本発明に係る第１実施例の作動状態での要部取り出し断面図である。
【図７】本発明に係る第２実施例の縦断面図である。
【図８】本発明に係る第２実施例の作動状態での要部取り出し断面図である。
【図９】本発明に係る第３実施例の縦断面図である。
【図１０】本発明に係る第３実施例の作動状態での要部取り出し断面図である。
【図１１】従来構造を示す分分解斜視図である。
【図１２】従来構造を示す組み立て状態の縦断面図である。
【符号の説明】
【００４２】
１、1a、1b、1c  …化粧用ブラシ、
10              …内側胴体、
11              …収容部、
12              …外側ねじ部、
13              …支持部、
14              …貫通孔、
15              …密閉突環、
15a             …密閉短顎輪、
16              …スプリング、
17              …垂直棒、
18              …嵌込み溝、
19              …補助ブラシ、
20              …外側上部胴体、
22              …中間部材、
24              …結合部材、
25              …円錐形弾性部、
26              …内側孔、
26              …内側溝、
30              …内側上部胴体、
32              …パウダー移送管、
33              …ブラシ、
33a             …ヘアブラシ、
33b             …櫛刃、
34              …ブラシカバー、
40              …外側下部胴体、
41              …外側胴体、
42              …上部嵌込み部、
50              …蓋。
【図１】
2007125369.tif 000003
【図２】
2007125369.tif 000004
【図３】
2007125369.tif 000005
【図４】
2007125369.tif 000006
【図５】
2007125369.tif 000007
【図６】
2007125369.tif 000008
【図７】
2007125369.tif 000009
【図８】
2007125369.tif 000010
【図９】
2007125369.tif 000011
【図１０】
2007125369.tif 000012
【図１１】
2007125369.tif 000013
【図１２】
2007125369.tif 000014